(57)【要約】【課題】金属製の内びん及び外びんを有する二重びんと、内びんの外面を被覆する反射箔とを備える飲料容器において、内びんが上窄み形状でない場合でも、意匠性を損ねることなく内びんの内壁を傷めないように反射箔を固定する。【解決手段】反射箔１１を内びん１の外周に対して径方向に締め付ける締付部材１２の採用により、内びん１の内壁を傷めないように反射箔１１を固定した。締付部材１２を内胴部材６と内底部材７との全周溶接部８０に上方から掛かるように装着することにより、締付部材１２の重量方向へのずれ動きを防いだ。略環状の金属製弾性体からなる締付部材１２の採用により、耐久性に優れた安定的な固定を実現し、締付部材１２の取付作業を容易にした。締付部材１２の周方向両端部１３、１４を上方に向けることにより、取付作業時の拡径を容易化しつつ、反射箔１１への刺さりを防ぎ、さらに外びん２との干渉を避けた。【選択図】図１
2018126529.tif 000002
【特許請求の範囲】
【請求項１】
金属製の内びん及び外びんを有する二重びんと、前記内びんの外面を被覆する反射箔とを備える飲料容器において、
前記反射箔を前記内びんの外周に対して径方向に締め付ける締付部材を備えることを特徴とする飲料容器。
【請求項２】
前記締付部材が弾性体からなる請求項１に記載の飲料容器。
【請求項３】
前記締付部材が金属から形成されている請求項２に記載の飲料容器。
【請求項４】
前記締付部材が、前記内びんの半周以上を囲む環状に形成されている請求項２又は３に記載の飲料容器。
【請求項５】
前記締付部材の周方向両端部が径方向外側に向いている請求項４に記載の飲料容器。
【請求項６】
前記締付部材の周方向両端部が上下方向に向いている請求項４に記載の飲料容器。
【請求項７】
前記内びんが、隆起した全周溶接部によって接合された複数の部材からなり、
前記締付部材が、前記全周溶接部に上方から掛かるように装着されている請求項１から６のいずれか１項に記載の飲料容器。
【請求項８】
前記締付部材の周方向両端部が上方に向いており、
前記内びんが、隆起した全周溶接部で接合された複数の部材からなり、
前記締付部材が、前記全周溶接部に上方から掛かるように装着されている請求項６に記載の飲料容器。
【請求項９】
前記反射箔が、前記内びんの底面を被覆する底カバー部を有し、
前記外びんが、前記底カバー部を下方から支えるように突き出たアーム部を有する請求項１から８のいずれか１項に記載の飲料容器。
【発明の詳細な説明】
【技術分野】
【０００１】
この発明は、金属製の内びん及び外びんを有する二重びんを備える飲料容器に関し、特に、内びんの外面を被覆する反射箔の位置ずれ防止に関する。
【背景技術】
【０００２】
従来、飲料の携帯に使用される飲料容器の分野では、二重びんが採用されている。中でも、金属製の内びん及び外びんを有する二重びんが広く利用されている。内びんの外面は、反射箔によって被覆されている。反射箔は、内びん及び外びん間における断熱用空間での輻射熱の放出を防止することによって断熱性を向上させるためのものであり、断熱用空間内で上下方向に移動しないように配置されている。
【０００３】
例えば、下記の特許文献１に記載された内びんは、保温性を向上させるため、上端部を縮径させた上窄み形状になっている。この種の反射箔は、銅箔やアルミニウム箔など可塑性を有する素材から形成されているものが多く、内びんの上端部から下端部にかけて被さった状態で設けられ、その可塑性により内びんの上端部に引っ掛けられる。すなわち、反射箔は、内びんの形状を利用して位置決めがなされている。
【先行技術文献】
【特許文献】
【０００４】
【特許文献１】特開２００６−８１６０８号公報
【発明の概要】
【発明が解決しようとする課題】
【０００５】
しかしながら、特許文献１のような反射箔の位置決め構造は、内びんが上窄み形状の場合にしか適用できないため、製品のデザインを制限する点で問題がある。
【０００６】
例えば、反射箔を内びんにスポット溶接することも考えられるが、内びんの内壁に溶接痕が残る。そうすると、使用の際、内びんの口から溶接痕が目視されるため意匠性が損なわれ、好ましくない。
【０００７】
そこで、この発明が解決しようとする課題は、二重びんの内びんが上窄み形状でない場合でも、意匠性を損ねることなく反射箔を固定することにある。
【課題を解決するための手段】
【０００８】
上記の課題を解決するため、この発明は、金属製の内びん及び外びんを有する二重びんと、前記内びんの外面を被覆する反射箔とを備える飲料容器において、前記反射箔を前記内びんの外周に対して径方向に締め付ける締付部材を備える構成を採用した。
【０００９】
この構成によれば、締付部材を用いた径方向の締め付けにより反射箔を内びんの外周に固定することができる。このため、内びんを上窄み形状にして反射箔の上下方向動を制限する必要がなく、また、スポット溶接等のように内びんを傷めことがないため、意匠性を損ねることもない。
【００１０】
前記締付部材が弾性体からなることが好ましい。
このようにすると、締付部材の弾性変形によって反射箔が締め付けられるので、反射箔を内びんに安定的に固定することができる。
【００１１】
より好ましくは、前記締付部材が金属から形成されているとよい。
このようにすると、締付部材が耐久性に優れるので、反射箔を長期に亘って安定的に固定することができる。
【００１２】
別のより好ましい態様として、前記締付部材が前記内びんの半周以上を囲む環状に形成されていることが挙げられる。
このようにすると、内びんの外周に反射箔を固定できるとともに、略環状の締付部材の内径を広げ易くなり、締付部材の取付作業を容易にすることができる。なお、締付部材が前記内びんの半周未満の場合、締付部材が内びんの外周に径方向から締め付けることができないためである。一方、締付部材が内びんの１周未満に限って囲むことが特に好ましい。これは、締付部材が内びんの１周以上の場合、略環状の締付部材の端部同士を広げても内びんに対する径方向への広がり度合いが小さいため、略環状の締付部材の内径の広げ易さが低下するためである。
【００１３】
ここで、前記締付部材の周方向両端部が径方向外側に向いているとよい。
このようにすると、略環状の締付部材の周方向端部が引っ掛かって反射箔が破れる心配がない。また、締付部材の取付作業を行う際、締付部材の周方向両端部を摘みとして利用可能なので、締付部材の内径を一層容易に広げ易くなる。
【００１４】
又は、前記締付部材の周方向両端部が上下方向に向いているとよい。
このようにすると、略環状の締付部材の周方向端部が引っ掛かって反射箔が破れる心配がない。また、締付部材の取付作業を行う際、締付部材の周方向両端部を摘みとして利用可能なので、締付部材の内径を一層容易に広げ易くなる。さらに、締付部材の周方向両端部が径方向外側に向く場合と比して径方向に出っ張らず、締付部材の周方向両端部と外びんとの干渉も避けることができる。
【００１５】
また、前記内びんが、隆起した全周溶接部によって接合された複数の部材からなり、前記締付部材が、前記全周溶接部に上方から掛かるように装着されていることが好ましい。
このようにすると、締付部材が重力方向にずれ動くことを全周溶接部と締付部材の引っ掛りによって防止することができる。
【００１６】
前述のように締付部材の周方向両端部を上下方向にする場合、特に、前記締付部材の周方向両端部が上方に向いており、前記内びんが、隆起した全周溶接部で接合された複数の部材からなり、前記締付部材が、前記全周溶接部に上方から掛かるように装着されていることが好ましい。
このようにすると、締付部材が重力方向にずれ動くことを全周溶接部と締付部材の引っ掛りによって防止することができると共に、締付部材の周方向両端部が全周溶接部に径方向外側から重ならず、外びんとの干渉を避けることができる。締付部材の周方向端部が下方に向く場合、当該下向きの周方向端部を全周溶接部に径方向外側から重ねる態様として、締付部材を全周溶接部に上方から掛かるように装着することになる。このような装着は、隆起した全周溶接部と外びんとの間に当該下向きの周方向端部を配置することが困難であり、好ましくない。
【００１７】
前記反射箔が、前記内びんの底面を被覆する底カバー部を有し、前記外びんが、前記底カバー部を下方から支えるように突き出たアーム部を有するようにしてもよい。
このようにすると、反射箔を内びんにより安定的に固定することができる。
【発明の効果】
【００１８】
以上のように、この発明は、上記構成の採用により、締付部材を用いた径方向の締め付けで反射箔を内びんの外周に固定可能なので、二重びんの内びんが上窄み形状でない場合
でも、意匠性を損ねることなく反射箔を固定することができる。
【図面の簡単な説明】
【００１９】
【図１】この発明の第１実施形態に係る飲料容器の側面一部分及び縦断面を示す全体構成図
【図２】第１実施形態に係る飲料容器の分解斜視図
【図３】図２の内びんから反射箔を外した状態を示す分解斜視図
【図４】第１実施形態の締付部材の変更例を示す部分拡大縦断面図
【図５】第１実施形態の締付部材の別の変更例を示す平面図
【図６】この発明の第２実施形態に係る飲料容器を示す部分拡大縦断面図
【図７】図６のアーム部の平面図
【発明を実施するための形態】
【００２０】
以下、この発明の一例である第１実施形態の飲料容器を添付図面に基づいて説明する。この飲料容器は、図１に示すように、内びん１及び外びん２を有する二重びん３を備えるタンブラーとして構成されている。
【００２１】
二重びん３の外壁面は、円筒面状の上端部４から下方に向かって次第に縮径している。これは、二重びん３を把持する際の滑り止めに好適な形状とするためである。
【００２２】
内びん１は、飲料を入れる有底筒状体とされている。外びん２は、内びん１と共に断熱用空間５を形成する有底筒状体とされている。断熱用空間５は、真空になっている。すなわち、二重びん３は、真空二重びんになっている。
【００２３】
内びん１及び外びん２の素材は、金属である。一般的な素材として、ステンレス鋼製の薄板が挙げられる。
【００２４】
内びん１は、上下両方に開放された筒状の内胴部材６と、内胴部材６の下側の筒口部を閉じる皿状の内底部材７とによって構成されている。
【００２５】
内胴部材６は、内胴部材６の下側の筒口部から径方向外側に曲げられたフランジ部８を有する。内底部材７は、フランジ部８と上下に突き合わされる外曲げ部９を有しており、底壁の外側にゲッター１０が取り付けられている。フランジ部８と外曲げ部９とが全周溶接されることによって内胴部材６と内底部材７とが接合され、全周溶接部８０が形成されている。すなわち、内びん１は、隆起したフランジ部８と外曲げ部９とによる全周溶接部８０によって接合された複数の部材（内胴部材６及び内底部材７）からなる。
【００２６】
内びん１の外周のうち、外びん１の内周と径方向に対向する部分は、下方に向かって次第に縮径している。これは、二重びん３を把持する際の滑り止めに好適な形状の外びん２としつつ、断熱用空間５の径方向幅を不必要な拡大を避けて内びん１の飲料容量を大きくするためである。
【００２７】
この飲料容器は、内びん１の外面を被覆する反射箔１１を備える。反射箔１１の素材として、例えば、銅箔やアルミニウム箔などが挙げられる。反射箔１１は、断熱用空間５での輻射熱の放出を防止することによって断熱性を向上させるためのものである。図２、図３に示すように、反射箔１１は、内びん１の外面を被覆する側カバー部１１ａと、内びん１の底面を被覆する底カバー部１１ｂとを有するカップ状になっている。反射箔１１の側カバー部１１ａは、内びん１の外周の大部分を覆い、反射箔１１の底カバー部１１ｂは、内びん１の底面の外側を円環状に覆っている。このため、反射箔１１は、上広がり状の内びん１の外周に対して上から下に向かって引っ掛かる部分をもたず、反射箔１１の下方へ
の移動を阻止することが求められる。
【００２８】
この飲料容器は、図１、図２に示すように、反射箔１１を内びん１の外周に対して径方向に締め付ける締付部材１２を備える。この締付部材１２は、金属から形成された弾性体からなる（例えば、ばね鋼など）。締付部材１２の自然状態における内径は、前述の装着位置における内びん１の外径よりも小さく設定されており、この締め代設定によって、締付部材１２が反射箔１１を締め付ける弾性力が生じるようになっている。
【００２９】
本実施形態の締付部材１２は、前述の装着位置において、内びん１の半周以上１周未満を囲む環状に形成されている。
【００３０】
また、この締付部材１２は、隆起したフランジ部８と外曲げ部９との接合によって形成される全周溶接部８０に上方から掛かるように装着されている。
【００３１】
締付部材１２の周方向両端部１３、１４は、上下方向の上方に向いている。作業者は、周方向両端部１３、１４を摘まんで自然状態の締付部材１２を拡径させて、内びん１に装着することができる。
【００３２】
外びん２は、図１に示すように、上下両方に開放された筒状の外胴部材１５と、外胴部材１５の下側の筒口部を閉じる皿状の外底部材１６とによって構成されている。
【００３３】
外胴部材１５の上側の筒口部と内びん１とが嵌合され、この嵌合部において全周溶接されることによって、外胴部材１５と内びん１とが接合されている。
【００３４】
外胴部材１５のうち、断熱用空間５を介して内びん１の外周と径方向に対向する部分は、下方に向かって次第に縮径している。これは、二重びん３を把持する際の滑り止めに好適な形状の外びん２とするためである。
【００３５】
外胴部材１５の下側の筒口部と外底部材１６の内周とが嵌合され、外底部材１６の上縁と外胴部材１５とが全周溶接されることによって、外底部材１６と外胴部材１５とが接合されている。
【００３６】
外底部材１６は、封止された排気口１７を有する。排気口１７は、断熱用空間５を真空引きする際に使用される。排気口１７の上方に反射箔１１は存在せず、真空引きや封止の際に反射箔１１は支障とならない。封止された排気口１７を覆い隠すための保護部材１８が、外びん２に接着されている。
【００３７】
この飲料容器は、上述のようなものであり、反射箔１１は、締付部材１２を用いた径方向の締め付けによって内びん１の外周に固定されている。したがって、この飲料容器は、内びん１を上窄み形状にして反射箔１１の上下方向動を制限することができない場合でも、意匠性を損ねることなく反射箔１１を固定することができる。
【００３８】
なお、この飲料容器のように、内びん１の外周に嵌る反射箔１１が内びん１の底部にも被さる場合、反射箔１１の上方移動は、内びん１の底部との接触によって阻止することが可能である。このため、締付部材１２によって反射箔１１の下方移動を阻止することができれば、十分な反射箔１１の固定を得ることができる。
【００３９】
また、反射箔１１は、弾性体からなる締付部材１２の弾性変形によって内びん１の外周に締め付けられる。このため、この飲料容器は、反射箔１１を内びん１に安定的に固定することができる。
【００４０】
また、金属製の締付部材１２は、合成樹脂製や植物性素材といった非金属素材のものよりも耐久性に優れる。このため、この飲料容器は、反射箔１１を長期に亘って安定的に固定することができる。
【００４１】
また、締付部材１２は、内びん１の半周以上を囲む環状に形成されているので略環状の締付部材１２の内径を自然状態から広げ易い。このため、この飲料容器は、内びん１の外周に反射箔１１を固定できるとともに、内びん１に対する締付部材１２の取付作業を容易にすることができる。しかも、本実施形態では、締付部材１２は、内びん１の１周未満を囲む環状に形成されているため、コストの低減を図ることができるとともに、取付作業もより一層容易になる。
【００４２】
また、略環状の締付部材１２は、上下方向に向いた周方向両端部１３、１４を有し、周方向に向いた細い先端をもたない。このため、この飲料容器は、締付部材１２の取付作業を行う際、締付部材１２の周方向端部１３、１４が引っ掛かって反射箔１１が破れる心配がない。
【００４３】
また、上方に向いている周方向両端部１３、１４は、締付部材１２の取付作業を行う際、摘みとして利用することが可能な部分となる。このため、この飲料容器は、締付部材１２の内径を一層容易に広げ易くなる。
【００４４】
また、上下方向に向いている周方向両端部１３、１４は、径方向外側に向く場合に比して、断熱用空間５内で径方向に出っ張らない。このため、この飲料容器は、締付部材１２の周方向両端部１３、１４と外びん２との干渉も避けることができる。
【００４５】
また、締付部材１２は、隆起したフランジ部８と外曲げ部９との全周溶接部８０に上方から掛かるように装着されているので、重力方向へずれ動こうとしても当該全周溶接部８０によって阻止される。このため、この飲料容器は、隆起したフランジ部８と外曲げ部９との全周溶接部８０と、締付部材１２との引っ掛りによって締付部材１２の重力方向へのずれ動きを確実に防止することができる。
【００４６】
なお、内びん１が締付部材１２の装着位置よりも上方で上広がり状になっているため、締付部材１２が上方にずれ動く範囲は、内びん１の形状自体によって自ずと制限される。
【００４７】
図４に例示するように、上下方向の下方に向いている周方向端部１４を有する締付部材１２を採用した場合、締付部材１２をフランジ部８及び外曲げ部９の全周溶接部８０に上方から掛かるように装着すると、当該下向きの周方向端部１４がフランジ部８及び外曲げ部９の全周溶接部８０に径方向外側から重ねる態様となる。隆起したフランジ部８及び外曲げ部９の全周溶接部８０と、外びん２の内周との間には、下向きの周方向端部１４を配置するための余裕を設定し、当該全周溶接部８０に重なる下向きの周方向端部１４と、外びん２とが干渉しないようにしなければならない。
【００４８】
一方、図２に示すように、上下方向の上方に向いている周方向両端部１３、１４は、締付部材１２をフランジ部８及び外曲げ部９の全周溶接部８０に上方から掛かるように装着しても、当該全周溶接部８０に径方向外側から重ならない。このため、この飲料容器は、締付部材１２の周方向両端部１３、１４と、外びん２との干渉を避けることができ、二重びん３のコンパクト化に有利である。
【００４９】
なお、図５に例示するように、周方向両端部１３、１４が径方向外側に向いている略環状の締付部材１２を採用する場合も、反射箔１１に刺さる心配がなく、周方向両端部１３
、１４を摘みとして利用することは可能である。
【００５０】
この発明の第２実施形態を図６、図７に基づいて説明する。以下、この飲料容器と、第１実施形態との相違点を述べるに留める。
【００５１】
図６に示すように、この飲料容器の外びん２は、反射箔１１の底カバー部１１ｂを下方から支えるように突き出たアーム部２０、２０を有する。
【００５２】
アーム部２０は、図６、図７に示すように、矩形板を屈曲させた部材になっている。アーム部２０の下端部２１は、水平に沿った平坦状になっており、外底部材１６の内壁面に固定されている。固定手段は、溶接、ろう付等を適宜に採用すればよい。
【００５３】
アーム部２０の上端部２１は、水平に沿った平坦状になっており、反射箔１１の底カバー部１１ｂを下方から受ける部分となる。このため、この飲料容器は、第１実施形態に比して、反射箔１１を内びん１により安定的に固定することができる。
【００５４】
なお、締付部材１２を省略し、アーム部２０、２０のみによって反射箔１１を内びん１に固定し、二重びん３の内びん１が上窄み形状でない場合でも、内びん１の内壁を傷めないように反射箔１１を固定することが可能である。
【００５５】
また、締付部材は、内びんに反射箔を締め付けて固定可能なものであればよい。例えば、針金からなる締付部材を採用し、反射箔の外側に巻いた締付部材の周方向両端部を撚ることによって締め付けることが可能である。また、紐からなる締付部材を採用し、反射箔の外側から巻いた締付部材を縛ることによって締め付けることも可能である。
【００５６】
また、締付部材は、内びんの１周未満を囲む環状に形成されている場合について説明したが、１周以上であってもよい。要は、締付部材の径を広げて内びんの外周から反射箔を取付ることができればよい。
【００５７】
かくして、この発明の技術的範囲は、上述の各実施形態に限定されず、特許請求の範囲の記載に基づく技術的思想の範囲内での全ての変更を含むものである。
【符号の説明】
【００５８】
１  内びん
２  外びん
３  二重びん
５  断熱用空間
６  内胴部材
７  内底部材
８  フランジ部
９  外曲げ部
８０  全周溶接部
１１  反射箔
１２  締付部材
１３、１４  周方向端部
２０  アーム部
【図１】
2018126529.tif 000003
【図２】
2018126529.tif 000004
【図３】
2018126529.tif 000005
【図４】
2018126529.tif 000006
【図５】
2018126529.tif 000007
【図６】
2018126529.tif 000008
【図７】
2018126529.tif 000009
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
金属製の内びん及び外びんを有する二重びんと、前記内びんの外面を被覆する反射箔とを備える飲料容器において、
前記反射箔を前記内びんの外周に対して径方向に締め付ける締付部材を備え、
前記内びんが、隆起した全周溶接部によって接合された複数の部材からなり、
前記締付部材が、前記全周溶接部に上方から掛かるように装着されていることを特徴とする飲料容器。
【請求項２】
前記締付部材が弾性体からなる請求項１に記載の飲料容器。
【請求項３】
前記締付部材が金属から形成されている請求項２に記載の飲料容器。
【請求項４】
前記締付部材が、前記内びんの半周以上を囲む環状に形成されている請求項２又は３に記載の飲料容器。
【請求項５】
前記内びんが、上下両方に開放された筒状の内胴部材と、前記内胴部材の下側の筒口部を閉じる皿状の内底部材とによって構成されており、
前記内胴部材が、当該内胴部材の下側の筒口部から径方向外側に曲げられたフランジ部を有し、前記内底部材が、前記フランジ部と上下に突き合わされる外曲げ部を有しており、
前記フランジ部と前記外曲げ部が全周溶接されることによって前記全周溶接部が形成されている請求項１から４のいずれか１項に記載の飲料容器。
【請求項６】
前記内びんは、下方に向かって次第に縮径している請求項１から５のいずれか１項に記載の飲料容器。
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
金属製の内びん及び外びんを有する二重びんと、前記内びんの外面を被覆する反射箔とを備える飲料容器において、
前記反射箔を前記内びんの外周に対して径方向に締め付ける締付部材を備え、
前記内びんは、隆起した全周溶接部によって接合された複数の部材からなり、
前記締付部材が、前記全周溶接部に上方から掛かるように装着されていることを特徴とする飲料容器。
【請求項２】
前記内びんは、下方に向かって次第に縮径している請求項１に記載の飲料容器。
【請求項３】
前記締付部材が弾性体からなる請求項１又は２に記載の飲料容器。
【請求項４】
前記締付部材が金属から形成されている請求項１から３のいずれか１項に記載の飲料容器。
【請求項５】
前記締付部材が、前記内びんの半周以上を囲む環状に形成されている請求項３又は４に記載の飲料容器。
【請求項６】
前記内びんが、上下両方に開放された筒状の内胴部材と、前記内胴部材の下側の筒口部を閉じる皿状の内底部材とによって構成されており、
前記内胴部材が、当該内胴部材の下側の筒口部から径方向外側に曲げられたフランジ部を有し、前記内底部材が、前記フランジ部と上下に突き合わされる外曲げ部を有しており、
前記フランジ部と前記外曲げ部が全周溶接されることによって前記全周溶接部が形成されている請求項１から５のいずれか１項に記載の飲料容器。